(57)【要約】【課題】着脱式の帯電粒子生成装置を備えた空調機において、その帯電粒子生成装置を機器本体側に確実に固定可能とする空調機を得る。【解決手段】空調機は、収容部１０２を含み、収容部１０２に第１係合部１５０が設けられた筺体と、収容部１０２に着脱可能に取り付けられる帯電粒子生成装置２とを備え、帯電粒子生成装置２は、帯電粒子生成装置２が収容部１０２に取り付けられた状態で第１係合部１５０に係合する第２係合部２５０を含む。【選択図】図７
2014043965.tif 000002
【特許請求の範囲】
【請求項１】
収容部を含み、前記収容部に第１係合部が設けられた筺体と、
前記収容部に着脱可能に取り付けられる帯電粒子生成装置と、を備え、
前記帯電粒子生成装置は、
電源と、
前記電源から供給される電圧から高電圧を発生させる高電圧回路と、
前記高電圧回路からの前記高電圧を受けて帯電粒子を生じさせる帯電粒子生成部と、
前記帯電粒子生成装置が前記収容部に取り付けられた状態で前記第１係合部に係合する第２係合部と、を含む、
空調機。
【請求項２】
前記帯電粒子生成装置は、本体部を含み、
前記第２係合部は、前記本体部の外表面に回動可能に設けられ、且つ、前記本体部に向かって回動するように付勢されている、
請求項１に記載の空調機。
【請求項３】
前記第１係合部は、穴部を有し、
前記第２係合部は、前記穴部に嵌め込まれる凸部を有する、
請求項１または２に記載の空調機。
【請求項４】
前記第１係合部は、板ばね状に形成され、その自由端側に前記収容部の内側に向かって突出する凸部を有する、
請求項１または２に記載の空調機。
【請求項５】
前記第２係合部は、前記凸部を受け入れる穴部を有する、
請求項４に記載の空調機。
【請求項６】
前記収容部には、前記収容部に取り付けられた前記帯電粒子生成装置を前記収容部から押し出す方向に付勢する弾性部材が設けられる、
請求項１から５のいずれかに記載の空調機。
【発明の詳細な説明】
【技術分野】
【０００１】
本発明は、空調機に関し、特に、帯電粒子生成装置を備える空調機に関する。
【背景技術】
【０００２】
特開２０１１−０９８０７４号公報（特許文献１）は、空気清浄機に関する発明を開示している。この空気清浄機は、帯電粒子を生成する帯電粒子生成装置を備えている。同公報は、この空気清浄機によれば、メイン気流に影響を受けることなく、静電ミストを安定的に供給することができると述べている。
【先行技術文献】
【特許文献】
【０００３】
【特許文献１】特開２０１１−０９８０７４号公報
【発明の概要】
【発明が解決しようとする課題】
【０００４】
本発明は、着脱式の帯電粒子生成装置を備えた空調機において、その帯電粒子生成装置を機器本体側に確実に固定可能とする空調機を提供することを目的とする。
【課題を解決するための手段】
【０００５】
本発明に基づく空調機は、収容部を含み、上記収容部に第１係合部が設けられた筺体と、上記収容部に着脱可能に取り付けられる帯電粒子生成装置と、を備え、上記帯電粒子生成装置は、電源と、上記電源から供給される電圧から高電圧を発生させる高電圧回路と、上記高電圧回路からの上記高電圧を受けて帯電粒子を生じさせる帯電粒子生成部と、上記帯電粒子生成装置が上記収容部に取り付けられた状態で上記第１係合部に係合する第２係合部と、を含む。
【０００６】
好ましくは、上記帯電粒子生成装置は、本体部を含み、上記第２係合部は、上記本体部の外表面に回動可能に設けられ、且つ、上記本体部に向かって回動するように付勢されている。好ましくは、上記第１係合部は、穴部を有し、上記第２係合部は、上記穴部に嵌め込まれる凸部を有する。
【０００７】
好ましくは、上記第１係合部は、板ばね状に形成され、その自由端側に上記収容部の内側に向かって突出する凸部を有する。好ましくは、上記第２係合部は、上記凸部を受け入れる穴部を有する。好ましくは、上記収容部には、上記収容部に取り付けられた上記帯電粒子生成装置を上記収容部から押し出す方向に付勢する弾性部材が設けられる。
【発明の効果】
【０００８】
本発明によれば、着脱式の帯電粒子生成装置を備えた空調機において、その帯電粒子生成装置を機器本体側に確実に固定可能とする空調機を得ることができる。
【図面の簡単な説明】
【０００９】
【図１】実施の形態１における空調機を示す斜視図である。
【図２】実施の形態１における空調機を示す上面図である。
【図３】実施の形態１における空調機を示す正面図である。
【図４】実施の形態１における空調機を示す右側面図である。
【図５】図１中のＶ−Ｖ線に沿った矢視断面図である。
【図６】実施の形態１における空調機を示す断面図である。
【図７】実施の形態１における空調機の収容部に帯電粒子生成装置が取り付けられる際の様子を示す斜視図である。
【図８】実施の形態１における空調機の収容部に取り付けられる帯電粒子生成装置の分解した状態を示す斜視図である。
【図９】実施の形態１における空調機の収容部に取り付けられる帯電粒子生成装置の帯電粒子生成素子を示す斜視図である。
【図１０】実施の形態１における空調機の収容部に帯電粒子生成装置が取り付けられた状態を示す斜視図である。
【図１１】実施の形態１における空調機の動作を示す断面図である。
【図１２】実施の形態１の第１変形例における空調機の係合部材を示す断面図である。
【図１３】実施の形態１の第２変形例における空調機の収容部を示す断面図である。
【図１４】実施の形態１の第２変形例における空調機の収容部に帯電粒子生成装置が取り付けられた状態を示す断面図である。
【図１５】実施の形態１の第２変形例における空調機の収容部から帯電粒子生成装置が取り外される際の様子を示す断面図である。
【図１６】実施の形態２における空調機の収容部を示す斜視図である。
【図１７】実施の形態２における空調機の収容部に帯電粒子生成装置が取り付けられた状態を示す断面図である。
【図１８】実施の形態３における空調機の収容部を示す斜視図である。
【図１９】実施の形態３における空調機の収容部に帯電粒子生成装置が取り付けられた状態を示す断面図である。
【図２０】実施の形態４における空調機に用いられる帯電粒子生成装置を示す斜視図である。
【図２１】実施の形態４における空調機の収容部に帯電粒子生成装置が取り付けられた状態を示す断面図である。
【図２２】実施の形態４の変形例における空調機の係合部材を示す断面図である。
【図２３】実施の形態５における空調機に用いられる帯電粒子生成装置および係合部材を示す断面図である。
【発明を実施するための形態】
【００１０】
本発明に基づいた各実施の形態について、以下、図面を参照しながら説明する。各実施の形態の説明において、個数および量などに言及する場合、特に記載がある場合を除き、本発明の範囲は必ずしもその個数およびその量などに限定されない。各実施の形態の説明において、同一の部品および相当部品に対しては、同一の参照番号を付し、重複する説明は繰り返さない場合がある。
【００１１】
［実施の形態１］
（空調機１１の外観構成）
図１〜図１１を参照して、本実施の形態における空調機１１について説明する。図１は、空調機１１を示す斜視図である。図２は、空調機１１を示す上面図である。図３は、空調機１１を示す正面図である。図４は、空調機１１を示す右側面図である。
【００１２】
図１〜図４に示すように、空調機１１は、機器本体１および帯電粒子生成装置２を備える。機器本体１は、筐体１００、操作パネル１０４、風向調整部１０６、給水タンク１０８および水受部１１０（図４参照）を含む。操作パネル１０４および風向調整部１０６は、筐体１００の上面側に設けられる。給水タンク１０８および水受部１１０は、筐体１００の背面側に設けられる。
【００１３】
筐体１００の右側面には（図１および図４参照）、吸気口１１２および電源コード接続口１１４が設けられる。筐体１００の左側面にも、吸気口１１２と同様な吸気口（図示せず）が設けられる。筐体１００の右側面に位置する吸気口１１２および筐体１００の左側面に位置する吸気口（図示せず）は、筐体１００の内部の通風路１２１（図５参照）に連通している。電源コード接続口１１４には、図示しない電源コードが接続される。
【００１４】
（空調機１１の内部構成）
図５は、図１中のＶ−Ｖ線に沿った矢視断面図である。空調機１１が使用される際、筐体１００はたとえば床面上に載置される。筐体１００は、収容部１０２、通風路１２１〜１２３および吹出口１２４を有する。詳細は後述されるが、筐体１００の収容部１０２には、係合部材１５０（第１係合部）が設けられる。筐体１００の中には、フィルタ１２６、送風機１２８、帯電粒子生成部１３０、制御回路１３２および帯電粒子生成装置２が配置される。
【００１５】
通風路１２１には、筐体１００の右側面に設けられた吸気口１１２（図１参照）および筐体１００の左側面に設けられた吸気口（図示せず）を通して空気が供給される。通風路１２１は、通風路１２２に連通している。通風路１２２は、通風路１２３に連通している。吹出口１２４は、通風路１２３の下流位置に設けられる。収容部１０２は、吹出口１２４および風向調整部１０６の近傍に位置する。
【００１６】
図６中の矢印ＡＲ１に示されるように、帯電粒子生成装置２は、収容部１０２に着脱可能に取り付けられる。図５の中では、収容部１０２に帯電粒子生成装置２が取り付けられている状態が示されている。図６の中では、収容部１０２から帯電粒子生成装置２が取り外された状態が示されている。
【００１７】
操作パネル１０４は、筐体１００の上面側に配置される。操作パネル１０４は、使用者によって操作されて、使用者の指示を受け付ける。帯電粒子生成装置２が機器本体１の収容部１０２に取り付けられた状態において、操作パネル１０４は、空調機１１の全体の操作パネルとして機能する。一方、帯電粒子生成装置２が機器本体１から取り外された状態において、操作パネル１０４は、機器本体１の操作パネルとして機能する。
【００１８】
風向調整部１０６も、筐体１００の上面側に配置される。風向調整部１０６は、支持部１０６Ｐを中心として回動可能である（図５および図６参照）。風向調整部１０６が回動することにより、吹出口１２４が開閉される。支持部１０６Ｐを挟んで風向調整部１０６の反対側には、風路形成部１０６Ｔが設けられる。風路形成部１０６Ｔは、風向調整部１０６から見て通風路１２３の側に位置している。
【００１９】
風向調整部１０６および風路形成部１０６Ｔは、それぞれ板状の形状を有し、風路形成部１０６Ｔの大きさは、風向調整部１０６の大きさよりも小さい。風向調整部１０６および風路形成部１０６Ｔは、支持部１０６Ｐを中心に一体的に回動する。風向調整部１０６および風路形成部１０６Ｔの傾きに応じて、機器本体１の吹出口１２４からの空気の吹出方向が規定される。
【００２０】
給水タンク１０８は、水１１９を蓄える。水受部１１０は、給水タンク１０８の下方に配置される。水受部１１０は、給水タンク１０８を支持するとともに、給水タンク１０８から水１１９を受ける。本実施の形態では、給水タンク１０８は筐体１００に着脱可能である。給水タンク１０８は筐体１００と一体化されていてもよい。給水タンク１０８は、必要に応じて設けられるとよい。
【００２１】
フィルタ１２６は、通風路１２１と通風路１２２との間に配置される。フィルタ１２６の下部は、水受部１１０に供給された水１１９の中に浸漬される。送風機１２８は、通風路１２２と通風路１２３との間に配置される。送風機１２８は、たとえばシロッコファンである。送風機１２８の動作によって通風路１２１を流れる空気は、フィルタ１２６を通過する。空気がフィルタ１２６を通過する際、その空気から塵埃などが除去され、その空気は加湿される。フィルタ１２６を通過した空気は、通風路１２２を通り、送風機１２８によって通風路１２３に送出される。
【００２２】
帯電粒子生成部１３０は、通風路１２３の途中部分に配置される。本実施の形態においては、筐体１００は、第１面部材１２３Ａ（図６参照）および第１面部材１２３Ａに対向する第２面部材１２３Ｂ（図６参照）を有する。第１面部材１２３Ａおよび第２面部材１２３Ｂは、通風路１２３を形成している。
【００２３】
上述のとおり、筐体１００には、帯電粒子生成装置２を収容するための収容部１０２が設けられる。通風路１２３の中の帯電粒子生成部１３０と略同一の高さ位置に、係合部材１５０が設けられる。係合部材１５０は、板ばね状に形成され、断面視略Ｌ字形状を有している。収容部１０２は、係合部材１５０と第２面部材１２３Ｂとの間に形成される。
【００２４】
帯電粒子生成部１３０は、通風路１２３から見て第１面部材１２３Ａの側に配置される。収容部１０２および帯電粒子生成装置２は、通風路１２３から見て第２面部材１２３Ｂの側に配置される。帯電粒子生成部１３０は、図示しないイオン発生電極と、イオン発生電極に対向配置されている対向電極とを備え、コロナ放電によって、帯電粒子を発生させる。本実施の形態では、帯電粒子は、正イオンおよび負イオンの双方を含む。帯電粒子生成部１３０は、正イオンおよび負イオンのうちの一方のみを発生させてもよい。
【００２５】
正イオンは、通風路１２３を通過する空気中に含まれる水分と結合する。正イオンは、Ｈ＋（Ｈ２Ｏ）ｍ（ｍは任意の自然数である。）を主として含み、電荷が正のクラスタイオンを形成する。負イオンも、通風路１２３を通過する空気中に含まれる水分と結合する。負イオンは、Ｏ２−（Ｈ２Ｏ）ｎ（ｎは零または任意の自然数である。）を主として含み、電荷が負のクラスタイオンを形成する。正イオンおよび負イオンは、通風路１２３を通過する空気中に浮遊する。
【００２６】
上述のとおり、帯電粒子生成装置２は、機器本体１に着脱可能である（矢印ＡＲ１参照）。詳細は後述されるが、帯電粒子生成装置２は、クリップ２５０（第２係合部）を備える。帯電粒子生成装置２が収容部１０２内に配置された状態においては、クリップ２５０と係合部材１５０とが相互に係合し、帯電粒子生成装置２は収容部１０２に固定される。
【００２７】
収容部１０２の底面１０３には、コネクタ１３１が配置される。コネクタ１３１は、収容部１０２に取り付けられた帯電粒子生成装置２に電気的に接続される複数の接続端子から構成される。コネクタ１３１（複数の接続端子）は、収容部１０２の内側において収容部１０２の表面から突出するように凸状に設けられている。コネクタ１３１は、収容部１０２の側面１０１（第２面部材１２３Ｂ）上に配置されてもよい。
【００２８】
制御回路１３２は、コネクタ１３１に電気的に接続されている。帯電粒子生成装置２が機器本体１の収容部１０２に取り付けられた状態において、制御回路１３２と帯電粒子生成装置２とは、コネクタ１３１を通して電気的に接続される。制御回路１３２は、機器本体１および帯電粒子生成装置２等を制御する。操作パネル１０４が使用者によって操作された場合、操作内容を示す信号が制御回路１３２に送られる。制御回路１３２は、その信号に応答して機器本体１および帯電粒子生成装置２等を制御する。
【００２９】
帯電粒子生成装置２が機器本体１の収容部１０２に取り付けられた状態において、制御回路１３２は、機器本体１とともに帯電粒子生成装置２を制御し、帯電粒子生成装置２は、機器本体１と連動する。帯電粒子生成装置２も、帯電粒子を含む気流を発生させる。機器本体１だけでなく帯電粒子生成装置２も帯電粒子を発生させることにより、空調機１１から高濃度の帯電粒子を発生させることができる。
【００３０】
（帯電粒子生成装置２）
図７は、帯電粒子生成装置２が収容部１０２に取り付けられる際の様子を示す斜視図である。図８は、帯電粒子生成装置２の分解した状態を示す斜視図である。図９は、帯電粒子生成装置２の帯電粒子生成素子２２０を示す斜視図である。図７および図８に示すように、帯電粒子生成装置２は、本体部２０１、送風ファン２０３（図８参照）、電源としてのバッテリ２０７（図８参照）、スイッチ２０８、コネクタ２０９（図８参照）、基板２１１（図８参照）、帯電粒子生成素子２２０（図８参照）およびクリップ２５０を備える。本体部２０１は、略直方体の形状を有している。
【００３１】
本体部２０１は、本体部２０１の幅方向（Ｙ方向）に対して垂直な側面２０１ｃを有する。側面２０１ｃには、外部の空気を本体部２０１内に導入するための吸込口２３０が形成される。本体部２０１の長手方向（Ｘ方向）の一方端２０１ｄに、本体部２０１内の空気を外部に吹き出すための吹出口２４０が形成される。吸込口２３０は、吹出口２４０に連通している。吸込口２３０は、本体部２０１の側面に位置している。吸込口２３０が設けられている本体部２０１の面と、クリップ２５０が設けられている本体部２０１の面とは、異なっている。
【００３２】
吹出口２４０は、本体部２０１の長手方向の一方側の端面に位置している。本体部２０１の長手方向の他方側の端面には、コネクタ１３１に対応する接続端子（図示せず）が設けられる。スイッチ２０８は、吸込口２３０が設けられている本体部２０１の面に、吸込口２３０と並んで設けられている。スイッチ２０８は、使用者の操作を受付ける。使用者は、スイッチ２０８を操作することによって、帯電粒子生成装置２の作動と停止とを切り換えることができる。
【００３３】
図８に示すように、本体部２０１は、上側ケース２０１ａと下側ケース２０１ｂとを含む。上側ケース２０１ａおよび下側ケース２０１ｂは、一体化されて、薄箱状の本体部２０１を構成する。本体部２０１の中には、送風ファン２０３、バッテリ２０７、スイッチ２０８、コネクタ２０９および帯電粒子生成部としての帯電粒子生成素子２２０が収容される。
【００３４】
送風ファン２０３は、遠心ファンまたはプロペラファン等である。送風ファン２０３は、バッテリ２０７から供給される電力、またはコネクタ２０９を通じて機器本体１から供給される電力を用いて作動する。送風ファン２０３の作動によって、外部の空気または通風路１２３（図６参照）を通過する気流の一部は、吸込口２３０から本体部２０１の内部に導入されて、吹出口２４０から外部へ吹出される。
【００３５】
送風ファン２０３は、基板２１１の表面２１１ａと上側ケース２０１ａの内表面との間に配置される。送風ファン２０３には、開口２０３ａと開口２０３ｂとが形成される。開口２０３ａは、送風ファン２０３の厚み方向（Ｚ方向）に対して垂直な送風ファン２０３の面に形成される。開口２０３ｂは、吹出口２４０と同じ側に位置する送風ファン２０３の面に形成される。
【００３６】
バッテリ２０７は、直流電源であり、かつ電力を蓄える蓄電装置である。バッテリ２０７は、ニッケル水素電池またはリチウムイオン電池などの二次電池を含む。バッテリ２０７は、送風ファン２０３および帯電粒子生成素子２２０に直流電力を供給する。帯電粒子生成装置２が機器本体１の収容部１０２に取り付けられた状態において、バッテリ２０７は、コネクタ２０９およびコネクタ１３１（図６参照）を通じて機器本体１からの直流電力を受ける。この電力によって、バッテリ２０７が充電される。バッテリ２０７の電圧は、数Ｖ程度である。
【００３７】
バッテリ２０７は、送風ファン２０３の動作によって生じる気流を妨げない位置に配置される。図８に示された構成では、バッテリ２０７は、Ｚ方向に沿って、送風ファン２０３と重なるように配置される。スイッチ２０８は、使用者の操作を受付ける。使用者は、スイッチ２０８を操作することによって、帯電粒子生成装置２の作動と停止とを切り換えることができる。
【００３８】
コネクタ２０９は、複数の接続端子を備える。複数の接続端子には、電源端子と信号入力端子とが含まれる。電源端子は、機器本体１から直流電力を受けるための端子である。電源端子を通じて機器本体１から入力された電力は、送風ファン２０３、帯電粒子生成素子２２０およびバッテリ２０７に供給される。信号入力端子は、機器本体１の制御回路１３２（制御部）から各種の制御信号を受信する。帯電粒子生成装置２は、コネクタ２０９の信号入力端子から入力された制御信号に応答して動作する。
【００３９】
図９は、帯電粒子生成素子２２０を示す斜視図である。図８および図９を参照して、帯電粒子生成素子２２０は、基板２１１、駆動部２１０（高電圧回路）および帯電粒子生成部２１５を含む。駆動部２１０は、基板２１１の表面２１１ａに配置される。駆動部２１０は、帯電粒子生成部２１５での放電を制御するためのものであり、パルス発生回路、コンデンサおよびＦＥＴ(Field  Effect  Transistor)などを含む。
【００４０】
駆動部２１０は、バッテリ２０７と帯電粒子生成部２１５とに接続される。駆動部２１０は、バッテリ２０７からの電圧を１０Ｖ〜２０Ｖに昇圧して帯電粒子生成部２１５に出力する。駆動部２１０は、帯電粒子生成部２１５の放電制御のためのパルス信号を生成して、その信号を帯電粒子生成部２１５へと出力する。
【００４１】
帯電粒子生成部２１５は、高電圧発生部２０６、正側整流素子２０５ａ、負側整流素子２０５ｂ、正イオン放電部２０４ａおよび負イオン放電部２０４ｂを有する。高電圧発生部２０６は、トランス等を含み、駆動部２１０から入力された信号に応答して、２ｋＶ〜１０ｋＶの正負の高電圧を生成する。
【００４２】
正側整流素子２０５ａおよび負側整流素子２０５ｂは、たとえばダイオードを含む。正側整流素子２０５ａおよび負側整流素子２０５ｂは、たとえば円柱形状を有し、その長手方向に通電可能に構成される。正側整流素子２０５ａおよび負側整流素子２０５ｂは、その通電方向がＹ方向に平行となるように配置される。正側整流素子２０５ａおよび負側整流素子２０５ｂは、基板２１１の表面２１１ａから基板２１１の厚み方向に埋め込まれるように配置される。
【００４３】
正側整流素子２０５ａは、高電圧発生部２０６と正イオン放電部２０４ａとに接続される。正側整流素子２０５ａは、高電圧発生部２０６によって生成された正負の高電圧のうち正の高電圧のみを正イオン放電部２０４ａへ通過させる。負側整流素子２０５ｂは、高電圧発生部２０６と負イオン放電部２０４ｂとに接続される。負側整流素子２０５ｂは、高電圧発生部２０６によって生成された正負の高電圧のうち負の高電圧のみを負イオン放電部２０４ｂへ通過させる。
【００４４】
正イオン放電部２０４ａおよび負イオン放電部２０４ｂは、放電によってイオンを発生させるための部分であり、先端が鋭利な針形状を有している。正イオン放電部２０４ａおよび負イオン放電部２０４ｂは、高耐熱および高耐食性を有する金属であり、たとえば、インコネルで作られる。正イオン放電部２０４ａの針形状の一方端（先端）は空気中に露出し、正イオン放電部２０４ａの他方端は正側整流素子２０５ａに接続される。負イオン放電部２０４ｂの針形状の一方端（先端）は空気中に露出し、負イオン放電部２０４ｂの他方端は負側整流素子２０５ｂに接続される。負イオン放電部２０４ｂは、Ｙ方向に正イオン放電部２０４ａから離間して設けられる。
【００４５】
空気が本体部２０１の内部を通過する際、その空気には、帯電粒子生成素子によって帯電粒子が付加される。送風ファンの動作によって、空気は、帯電粒子とともに吹出口２４０から外部に吹き出される。帯電粒子生成装置２が機器本体１の収容部１０２に取り付けられた状態では、吹出口２４０から吹き出された空気は、機器本体１の吹出口１２４（図６参照）を通して外部に吹き出される。
【００４６】
クリップ２５０は、本体部２０１の外表面上に設けられる。上述のとおり、吸込口２３０が設けられている本体部２０１の面と、クリップ２５０が設けられている本体部２０１の面とは、異なっている。
【００４７】
本実施の形態におけるクリップ２５０は、板部材２５１，２５２、支持部２５３、端面２５４および屈曲部２５５を含む。板部材２５１および板部材２５２は、一体的に形成されている。板部材２５１および板部材２５２は、支持部２５３によって回動自在に支持されている。板部材２５１および板部材２５２は、支持部２５３によって、支持部２５３を中心として本体部２０１側に向かって矢印ＡＲ２方向に回動するように付勢されている。クリップ２５０の回動を利用して、帯電粒子生成装置２は使用者の衣服などに容易に取り付けられることができる。
【００４８】
端面２５４は、平坦な形状を有し、板部材２５１の板部材２５２とは反対側に位置している。屈曲部２５５は、板部材２５２の板部材２５１とは反対側に位置している。屈曲部２５５は、板部材２５２の先端部から本体部２０１側に向かって屈曲する形状を有している。
【００４９】
（係合部材１５０）
上述のとおり、第１係合部としての係合部材１５０は、側面１０１との間に収容部１０２を形成している。係合部材１５０は、板状部１５１、接続部１５２、自由端部１５３および屈曲部１５４（凸部）を含み、全体として板ばね状に形成されている。板状部１５１の下方に接続部１５２が設けられ、板状部１５１の上方に自由端部１５３および屈曲部１５４が設けられる。
【００５０】
接続部１５２は、板状部１５１を収容部１０２の底面１０３に接続している。板状部１５１は、接続部１５２を起点として、底面１０３に対して略垂直な方向に起立している。板状部１５１は、側面１０１に対して略平行である。屈曲部１５４は、板状部１５１の自由端部１５３から側面１０１側（収容部１０２の内側）に向かって突出する形状を有している。
【００５１】
図１０は、帯電粒子生成装置２が収容部１０２に取り付けられた状態を示す斜視図である。図７および図１０を参照して、帯電粒子生成装置２が収容部１０２に取り付けられる際、クリップ２５０の屈曲部２５５側の端部は、係合部材１５０の自由端部１５３側に形成された斜面に当接する。帯電粒子生成装置２が収容部１０２に向かって差し込まれることによって、係合部材１５０の板状部１５１は、接続部１５２を起点として側面１０１から離れる方向に撓む。
【００５２】
帯電粒子生成装置２が収容部１０２に向かってさらに差し込まれることによって、クリップ２５０の板部材２５１は、係合部材１５０の屈曲部１５４を通過する。クリップ２５０の端面２５４が係合部材１５０の屈曲部１５４を通過した後、係合部材１５０の板状部１５１は、自身の有する復元力の作用によって、元の状態に戻る。係合部材１５０の屈曲部１５４は、クリップ２５０の端面２５４に係合する。帯電粒子生成装置２は、収容部１０２内で確実に固定されることとなる。
【００５３】
（空調機１１の動作）
図１１を参照して、帯電粒子生成装置２が収容部１０２に取り付けられた状態において、空調機１１が使用者によって駆動されたとする。制御回路１３２は、操作パネル１０４からの信号に応じて、風向調整部１０６を動作させて吹出口１２４を開く。
【００５４】
制御回路１３２は、帯電粒子生成部１３０および帯電粒子生成装置２を制御して帯電粒子を発生させる。送風機１２８の動作によって、筐体１００の内部（通風路１２１）に空気が取り込まれる。図中の白抜きの矢印は気流を表現している。その空気は必要に応じて加湿され、通風路１２２を通して通風路１２３に送出される。通風路１２３を通過する気流は、帯電粒子生成部１３０により生成した帯電粒子を吹出口１２４から筐体１００の外部に送り出す。
【００５５】
通風路１２３を通過する気流の一部は、係合部材１５０の側方を通過して（図１０参照）、収容部１０２側に流れる。収容部１０２側に流れた気流は、吸込口２３０（図１０参照）を通して帯電粒子生成装置２の内部に取り込まれ、帯電粒子生成装置２により生成した帯電粒子を吹出口１２４から筐体１００の外部に送り出す。この際、送風機１２８からの送風を受けて、帯電粒子生成装置２の中には、帯電粒子生成装置２が備えている送風ファン（図示せず）の機能以上の気流が供給される。帯電粒子生成装置２に取り込まれる気流の量は、帯電粒子生成装置２が収容部１０２から外されて単独で使用される場合に比べて、帯電粒子生成装置２が収容部１０２に取り付けられている場合の方が多くなる。
【００５６】
帯電粒子生成装置２から発生する帯電粒子の量は、帯電粒子生成装置２に供給される気流の量に比例する。帯電粒子生成装置２から発生する帯電粒子の量は、帯電粒子生成装置２が収容部１０２から外されて単独で使用される場合に比べて、帯電粒子生成装置２が収容部１０２に取り付けられている場合の方が多くなる。したがって、空調機１１によれば、帯電粒子生成部１３０および帯電粒子生成装置２が高い生成効率で帯電粒子を生成することが可能となっている。
【００５７】
上述のとおり、筐体１００には、収容部１０２を形成する係合部材１５０が設けられる。帯電粒子生成装置２は、係合部材１５０を用いて収容部１０２に容易に取り付けられることができる。さらに、帯電粒子生成装置２は、クリップ２５０と係合部材１５０との相互の係合によって、収容部１０２内（機器本体１側）に確実に固定されることが可能となっている。
【００５８】
上述のとおり、帯電粒子生成部１３０は、通風路１２３から見て第１面部材１２３Ａの側に配置される。収容部１０２および帯電粒子生成装置２は、通風路１２３から見て第２面部材１２３Ｂの側に配置される。第１面部材１２３Ａおよび第２面部材１２３Ｂは、対向配置されている。帯電粒子を含む空気が吹出口１２４から吹き出される際、帯電粒子生成部１３０によって帯電粒子が付加された空気は、通風路１２３の第１面部材１２３Ａ寄りの部分を流れ、帯電粒子生成装置２によって帯電粒子が付加された空気は、通風路１２３の第２面部材１２３Ｂ寄りの部分を流れる。
【００５９】
帯電粒子生成部１３０によって帯電粒子が付加された空気は、矢印ＤＲ１に示すように、吹出口１２４から吹き出される。帯電粒子生成装置２によって帯電粒子が付加された空気は、矢印ＤＲ２に示すように、吹出口１２４から吹き出される。帯電粒子生成部１３０によって帯電粒子が付加された空気および帯電粒子生成装置２によって帯電粒子が付加された空気は、互いに混じり合いにくくなっている。帯電粒子同士が結合して消滅し、イオンの発生量が低下することは、効果的に抑制されている。空調機１１によれば、高濃度の帯電粒子を含む気流を発生させることができる。
【００６０】
上述のとおり、帯電粒子生成装置２は、収容部１０２に着脱可能に構成される。使用者が帯電粒子を皮膚あるいは毛髪に照射したい場合には、帯電粒子生成装置２を収容部１０２から取り外して使用することができる。空調機１１によれば、使用者の利便性を高めることができる。一方、帯電粒子生成装置２を収容部１０２に取り付けることにより、帯電粒子生成装置２を使用しない場合に帯電粒子生成装置２を機器本体１に収納することができる。使用者は、帯電粒子生成装置２を使用したい場合に、その場所を見つけやすくなる。
【００６１】
（第１変形例）
図１２は、実施の形態１の第１変形例における空調機の係合部材１５０Ａを示す断面図である。係合部材１５０Ａは、操作部１５５を有する。操作部１５５は、係合部材１５０Ａの長手方向の途中部分に設けられ、収容部１０２から遠ざかる方向に延在している。帯電粒子生成装置２を収容部１０２から取り外す際、操作部１５５は、使用者の手指などによって押圧される。操作部１５５が矢印ＡＲ３方向に向かって変位することにより、係合部材１５０Ａとクリップ２５０との相互の係合状態は、容易に解除されることが可能となる。
【００６２】
図１２に示すように、筐体１００には、凹部１９０が設けられていてもよい。凹部１９０は、収容部１０２の出口近傍に位置している。係合部材１５０Ａとクリップ２５０との相互の係合状態が解除された後、凹部１９０を活用して、帯電粒子生成装置２は容易に収容部１０２から引き抜かれることが可能となっている。
【００６３】
（第２変形例）
図１３は、実施の形態１の第２変形例における空調機の収容部１０２を示す断面図である。収容部１０２の底面１０３には、コイルバネなどの弾性部材１８０が設けられている。図１４に示すように、帯電粒子生成装置２が収容部１０２内に取り付けられた際、弾性部材１８０は圧縮される。弾性部材１８０は、収容部１０２に取り付けられた帯電粒子生成装置２を収容部１０２から押し出す方向に付勢している。
【００６４】
図１５に示すように、係合部材１５０Ａとクリップ２５０との相互の係合状態が解除された後、弾性部材１８０は、復元力の作用によって、帯電粒子生成装置２を押し上げる（矢印ＤＲ３参照）。帯電粒子生成装置２は容易に収容部１０２から引き抜かれることが可能となっている。
【００６５】
［実施の形態２］
図１６は、本実施の形態における空調機の収容部１０２を示す斜視図である。本実施の形態の収容部１０２においては、２つの係合部材１５０Ｂ１，１５０Ｂ２が設けられる。係合部材１５０Ｂ１，１５０Ｂ２は、屈曲部１５４を有し、互いに間隔を空けて配置されている。
【００６６】
図１６および図１７を参照して、係合部材１５０Ｂ１，１５０Ｂ２の屈曲部１５４は、帯電粒子生成装置２の本体部２０１の端部２０１ｄ（一方端）に係合する。本実施の形態においては、本体部２０１の長手方向の一方側における端部２０１ｄが、第２係合部として機能する。本実施の形態では、帯電粒子生成装置２を収容部１０２に固定するために、クリップ２５０が用いられない。クリップ２５０は、必要に応じて設けられているとよい。
【００６７】
［実施の形態３］
図１８は、本実施の形態における空調機の収容部１０２を示す斜視図である。本実施の形態の収容部１０２には、係合部材１５０Ｃが設けられる。係合部材１５０Ｃは、穴部１５６を有し、底面１０３に対して略垂直な方向に起立している。
【００６８】
図１９を参照して、帯電粒子生成装置２が収容部１０２に取り付けられた際には、クリップ２５０の屈曲部２５５が穴部１５６内に嵌め込まれる。屈曲部２５５および穴部１５６同士が係合し、帯電粒子生成装置２は、収容部１０２内（機器本体１側）に確実に固定されることが可能となっている。
【００６９】
［実施の形態４］
図２０は、本実施の形態における空調機に用いられる帯電粒子生成装置２Ａを示す斜視図である。帯電粒子生成装置２Ａは、クリップ２５０Ａを有する。クリップ２５０Ａには、穴部２５６が設けられる。
【００７０】
図２１を参照して、本実施の形態における収容部１０２には、係合部材１５０Ｄが設けられる。係合部材１５０Ｄは、屈曲部１５４を有し、底面１０３に対して略垂直な方向に起立している。帯電粒子生成装置２Ａが収容部１０２に取り付けられた際には、係合部材１５０Ｄの屈曲部１５４が、クリップ２５０Ａの穴部２５６内に嵌め込まれる。屈曲部１５４および穴部２５６同士が係合し、帯電粒子生成装置２Ａは、収容部１０２内（機器本体１側）に確実に固定されることが可能となっている。
【００７１】
（変形例）
図２２に示す係合部材１５０Ｅは、操作部１５７を有する。上述の実施の形態１における第１変形例と同様に、操作部１５７は、係合部材１５０Ｅの長手方向の途中部分に設けられ、収容部１０２から遠ざかる方向に延在している。帯電粒子生成装置２Ａを収容部１０２から取り外す際、操作部１５７は、使用者の手指などによって押圧される。操作部１５７が矢印ＡＲ４方向に向かって変位することにより、係合部材１５０Ｅとクリップ２５０Ａとの相互の係合状態は、容易に解除されることが可能となる。
【００７２】
［実施の形態５］
図２３は、本実施の形態における空調機に用いられる帯電粒子生成装置２Ｂおよび係合部材１５０Ｆを示す断面図である。帯電粒子生成装置２Ｂにおいては、本体部２０１の外表面上に、微小凸部１０２ｂが設けられる。係合部材１５０Ｆは、屈曲部１５４を有し、底面１０３に対して略垂直な方向に起立している。
【００７３】
係合部材１５０Ｆの屈曲部１５４は、帯電粒子生成装置２Ｂの微小凸部１０２ｂに係合する。本実施の形態においては、微小凸部１０２ｂが、第２係合部として機能する。本実施の形態では、帯電粒子生成装置２Ｂを収容部１０２に固定するために、クリップ２５０が用いられない。クリップ２５０は、必要に応じて設けられているとよい。
【００７４】
以上、本発明に基づいた各実施の形態について説明したが、今回開示された各実施の形態はすべての点で例示であって制限的なものではない。本発明の技術的範囲は特許請求の範囲によって示され、特許請求の範囲と均等の意味および範囲内でのすべての変更が含まれることが意図される。
【符号の説明】
【００７５】
１  機器本体、２，２Ａ，２Ｂ  帯電粒子生成装置、１１  空調機、１００  筐体、１０１，２０１ｃ  側面、１０２  収容部、１０２ｂ  微小凸部、１０３  底面、１０４  操作パネル、１０６  風向調整部、１０６Ｐ，２５３  支持部、１０６Ｔ  風路形成部、１０８  給水タンク、１１０  水受部、１１２  吸気口、１１４  電源コード接続口、１１９  水、１２１，１２２，１２３  通風路、１２３Ａ  第１面部材、１２３Ｂ  第２面部材、１２４，２４０  吹出口、１２６  フィルタ、１２８  送風機、１３０，２１５  帯電粒子生成部、１３１，２０９  コネクタ、１３２  制御回路、１５０，１５０Ａ，１５０Ｂ１，１５０Ｂ２，１５０Ｃ，１５０Ｄ，１５０Ｅ，１５０Ｆ  係合部材、１５１  板状部、１５２  接続部、１５３  自由端部、１５４，２５５  屈曲部、１５５，１５７  操作部、１５６，２５６  穴部、１８０  弾性部材、１９０  凹部、２０１  本体部、２０１ａ  上側ケース、２０１ｂ  下側ケース、２０１ｄ  端部（一方端）、２０３  送風ファン、２０３ａ，２０３ｂ  開口、２０４ａ  正イオン放電部、２０４ｂ  負イオン放電部、２０５ａ  正側整流素子、２０５ｂ  負側整流素子、２０６  高電圧発生部、２０７  バッテリ、２０８  スイッチ、２１０  駆動部、２１１  基板、２１１ａ  表面、２２０  帯電粒子生成素子、２３０  吸込口、２５０，２５０Ａ  クリップ、２５１，２５２  板部材、２５４  端面、ＡＲ１，ＤＲ１，ＤＲ２，ＤＲ３  矢印。
【図１】
2014043965.tif 000003
【図２】
2014043965.tif 000004
【図３】
2014043965.tif 000005
【図４】
2014043965.tif 000006
【図５】
2014043965.tif 000007
【図６】
2014043965.tif 000008
【図７】
2014043965.tif 000009
【図８】
2014043965.tif 000010
【図９】
2014043965.tif 000011
【図１０】
2014043965.tif 000012
【図１１】
2014043965.tif 000013
【図１２】
2014043965.tif 000014
【図１３】
2014043965.tif 000015
【図１４】
2014043965.tif 000016
【図１５】
2014043965.tif 000017
【図１６】
2014043965.tif 000018
【図１７】
2014043965.tif 000019
【図１８】
2014043965.tif 000020
【図１９】
2014043965.tif 000021
【図２０】
2014043965.tif 000022
【図２１】
2014043965.tif 000023
【図２２】
2014043965.tif 000024
【図２３】
2014043965.tif 000025